(57)【要約】【課題】表示装置の組み立てにおける表示パネルに対する枠部材の位置決めの容易化と組立後の枠部材の強度向上。【解決手段】表示パネル１０１と、表示パネル１０１の背面側に配置される基台１０２と、表示パネル１０１に接続され、基台１０２の背面側に至るまで配置される複数の配線基板１０４と、表示パネル１０１の周縁部に配置される前面部１３１と、周縁端の外方に配置される周壁部１３２とを有する枠部材１０３と、配線基板１０４の間において、枠部材１０３の周壁部１３２の内側面に当接するように１０２基台の周縁端から外方に向かって突出する複数の突出部１２１とを備える。【選択図】図５
2015219406.tif 000002
【特許請求の範囲】
【請求項１】
画像を表示する表示パネルと、
前記表示パネルの画像が表示される側の表示面とは反対側の背面側に配置される板状の基台と、
前記表示パネルの表示面側の周縁部に接続され、前記基台の周縁端を越えて背面側に至るまで配置される複数の配線基板と、
前記表示パネルの表示面側の周縁部に配置される前面部と、前記表示パネルの周縁端の外方に配置される周壁部とを有する枠部材と、
前記配線基板の間において、前記枠部材の前記周壁部の内側面に当接するように前記基台の周縁端から外方に向かって突出する複数の突出部と
を備える表示装置。
【請求項２】
前記突出部は、前記基台に一体に設けられている
請求項１に記載の表示装置。
【請求項３】
前記周壁部と前記突出部の先端との間には、前記周壁部と前記突出部との電気的な接続状態を向上させる導電性部材を備える
請求項１または請求項２に記載の表示装置。
【請求項４】
画像を表示する表示パネルと、前記表示パネルの画像が表示される側の表示面とは反対側の背面側に配置される板状の基台と、前記表示パネルの表示面側の周縁部に接続される複数の配線基板と、前記表示パネルの表示面側の周縁部に配置される前面部と、前記表示パネルの周縁端の外方に配置される周壁部とを有する枠部材と、前記基台の周縁端から外方に向かって突出する複数の突出部とを備える表示装置の製造方法であって、
前記突出部の間において、前記基台の周縁端を越えて背面側に至るように前記配線基板を配置し、
前記周壁部の内側面に前記突出部の先端が当接するように前記枠部材を配置して前記枠部材と前記基台との位置決めをし、
前記枠部材を前記基台に固定する
表示装置の製造方法。
【発明の詳細な説明】
【技術分野】
【０００１】
本開示は、表示パネルの周縁部に配置される枠部材を備える表示装置、および、表示パネルに枠部材を取り付ける際の表示装置の製造方法に関する。
【背景技術】
【０００２】
特許文献１は、表示パネルの周縁部を覆う枠部材を備えた表示装置を開示している。この表示装置において、枠部材は、表示パネルの画像が表示される表示面の周縁全体を覆うエスカッション枠（保護枠）の役割を果たしている。
【先行技術文献】
【特許文献】
【０００３】
【特許文献１】特開２００８−９１６４号公報
【発明の概要】
【発明が解決しようとする課題】
【０００４】
本開示は、表示パネルの周縁部に配置される枠部材を備える表示装置であって、表示装置として目立たないように枠部材の小型化・薄型化を図った場合でも枠部材の構造的強度を確保することのできる表示装置、および、このような表示装置の製造方法を提供する。
【課題を解決するための手段】
【０００５】
上記目的を達成するために、本開示における表示装置は、画像を表示する表示パネルと、前記表示パネルの画像が表示される側の表示面とは反対側の背面側に配置される板状の基台と、前記表示パネルの表示面側の周縁部に接続され、前記基台の周縁端を越えて背面側に至るまで配置される複数の配線基板と、前記表示パネルの表示面側の周縁部に配置される前面部と、前記表示パネルの周縁端の外方に配置される周壁部とを有する枠部材と、前記配線基板の間において、前記枠部材の前記周壁部の内側面に当接するように前記基台の周縁端から外方に向かって突出する複数の突出部とを備える。
【発明の効果】
【０００６】
本開示によれば、枠部材を基台で支える箇所を増加させることができ、枠部材の小型化・薄型化を図った場合でも枠部材の構造的強度を確保することが可能となる。
【図面の簡単な説明】
【０００７】
【図１】図１は、従前の表示装置における表示パネルと枠部材との関係を一部断面で示す分解斜視図である。
【図２】図２は、従前の表示装置における表示パネルと枠部材との関係を示す断面図である。
【図３】図３は、実施の形態１における表示装置の外観を示す斜視図である。
【図４】図４は、実施の形態１における表示装置の構造の概要を示す分解斜視図である。
【図５】図５は、本実施の形態の表示装置における基台と枠部材との関係を分解状態で示す斜視図である。
【図６】図６は、表示装置における基台と枠部材との関係を示す断面図である。
【図７】図７は、突出部の近傍を模式的に示す斜視図である。
【図８】図８は、実施の形態１の変形例１における突出部の近傍を模式的に示す斜視図である。
【図９】図９は、実施の形態１の変形例２における基台と枠部材との関係を示す断面図である。
【図１０】図１０は、実施の形態１の変形例３における基台と枠部材との関係を示す断面図である。
【発明を実施するための形態】
【０００８】
本開示者らは、従来の表示装置に関し、以下の問題が生じることを見出した。
【０００９】
図１は、従前の表示装置における表示パネルと枠部材との関係を一部断面で示す分解斜視図である。
【００１０】
図２は、従前の表示装置における表示パネルと枠部材との関係を示す断面図である。
【００１１】
同図に示すように、従前の表示装置５００、例えば液晶表示パネルを備えた表示装置５００は、映像などを表示する表示パネル５０１と、重ねられた表示パネル５０１および基台５０２の端縁を覆うように配置された枠部材５０３とを備えている。枠部材５０３は延在方向（図中Ｚ軸方向）に伸びる溝５３９を備えた断面コ字状（またはＣ字状）の部材である。また、枠部材５０３と表示パネル５０１との隙間を埋める比較的厚みのあるパッキン５０９が枠部材５０３の溝５３９の内面に取り付けられている。
【００１２】
また、一端が表示パネル５０１の表示面側周縁部に接続され、他端が基台５０２の背面に取り付けられた回路基板５０７に接続される柔軟性のある配線基板５０８（いわゆるフレキシブル配線基板）が設けられている。この配線基板５０８は、一つの回路基板５０７に間隔を開けて並んで取り付けられている。
【００１３】
このような構造の表示装置５００を組み立てるに際しては、重ねられた表示パネル５０１および基台５０２と枠部材５０３との位置を別途治具を用いて決定し、枠部材５０３の溝５３９に湾曲した配線基板５０８の一部が嵌まり込むような状態で、背面側から締結部材５０５を用いて枠部材５０３と基台５０２とを締結していた。
【００１４】
以上のような構造の表示装置５００において枠部材５０３を小型化・薄型化を図ろうとすると、枠部材５０３と基台５０２とが係合する取付部５３１の間の枠部材５０３の構造的強度が不足するという問題が生じていた。
【００１５】
本開示は、上記問題点などに基づいてなされたものである。以下に適宜図面を参照しながら、実施の形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、本開示者らは、当業者が本開示を十分に理解するために添付図面および以下の説明を提供するのであって、これらによって特許請求の範囲に記載の主題を限定することを意図するものではない。
【００１７】
（実施の形態１）
［表示装置の構成概要］
図３は、実施の形態１における表示装置の外観を示す斜視図である。
【００１８】
図４は、実施の形態１における表示装置の構造の概要を示す分解斜視図である。
【００１９】
なお、これらの図は、表示装置１００の概略構成を模式的に示したものであり、細部は省略されている。
【００２０】
表示装置１００は、表示パネル１０１と、基台１０２と、枠部材１０３と、配線基板１０４（図２、図３には示さず）とを備えている。
【００２１】
本実施の形態の場合、表示装置１００は、例えば、受信した放送波等から得られる映像および音声を出力するテレビである。表示装置１００はさらに、表示パネル１０１の背部を覆うバックカバー１０６と、回路基板１２９とを備える。
【００２２】
表示パネル１０１は、画像などを表示する装置である。本実施の形態の場合、表示パネル１０１は、有機化合物で発光層が構成された発光ダイオードである有機ＥＬ（Ｅｌｅｃｔｒｏ  Ｌｕｍｉｎｅｓｃｅｎｃｅ）ダイオードを発光素子として有する有機ＥＬ表示パネルである。また、その厚みは、例えば、１ｍｍ〜３ｍｍ程度である。
【００２３】
なお、表示パネル１０１の種類に特に限定はなく、例えば、有機ＥＬ表示パネルと同じく自発光型の表示パネルであるプラズマ表示パネル、または、バックライトユニットを有する液晶表示パネルなどであってもよい。また、厚みも特に限定されるものではない。
【００２４】
基台１０２は、表示パネル１０１の背面（図中Ｙ軸の正側の面）に配置され、表示パネル１０１を保持する板状の部材である。また、基台１０２は、基台１０２の背面に回路基板１２９を保持している。基台１０２は例えば、一般にシャーシと呼ばれる金属の板材からなり、構造的強度の向上などのためにプレス加工等により凹凸が設けられる場合がある。さらに基台１０２は、ネジ止めのためのボス等が取り付けられる場合がある。また、基台１０２は、表示パネル１０１の背面の全面（またはほぼ全面）を覆うように配置され、表示パネル１０１で発生した熱を放熱する機能を有する場合もある。
【００２５】
なお、表示パネル１０１や基台１０２などを図示する場合があるが、各部分の詳細な形状や大きさ、各部材相互の相対的な比率などは説明のためデフォルメし、また、省略する場合がある。
【００２６】
回路基板１２９は、例えば、樹脂製の板材を基材とする基板本体に複数の電子部品で構成された電気回路が配置された基板である。具体的に例えば、回路基板１２９は、走査駆動信号を表示パネル１０１に供給する走査駆動回路や、信号電圧を表示パネル１０１に供給する信号線駆動回路などが搭載された基板であり、基台１０２の周縁に沿うように配置されている。なお、走査駆動回路は、ゲートドライバまたはスキャンドライバ等とも呼ばれ、信号線駆動回路は、データドライバまたはソースドライバ等とも呼ばれる。
【００２７】
なお、図４では、回路基板１２９を例示的かつ模式的に示しており、表示装置１００に必要な回路基板１２９の全てを記載しているのではない。また、基台１０２には、上記機能を備えた回路基板であって、図４では図示しない回路基板も複数取り付けられている。具体的にこれらの回路基板は、例えば、受信した映像信号を処理する信号処理回路、電力を外部から受け取って各回路に供給する電源回路等を有する場合がある。
【００２８】
［表示装置の細部構成］
図５は、本実施の形態の表示装置における基台と枠部材との関係を分解状態で示す斜視図である。
【００２９】
図６は、表示装置における基台と枠部材との関係を示す断面図である。
【００３０】
図７は、突出部の近傍を模式的に示す斜視図である。
【００３１】
これらの図に示すように、配線基板１０４は、一端部が表示パネル１０１の表示面側の周縁部に電気的、かつ、機械的に接続され、他端部は回路基板１２９に電気的、かつ、機械的接続されている。また配線基板１０４は、重ねられた基台１０２および表示パネル１０１の周縁端を越えて基台１０２の背面側に至るまで配置されされている。ここで、配線基板１０４とは、例えば電子部品が搭載された柔軟性を備えたプリント配線基板、いわゆるＣＯＦ（Chip on Film）や、電子部品が搭載されていない柔軟性を備えたプリント配線基板などである。本実施の形態の場合、配線基板１０４は、一枚の回路基板１２９に対し複数枚（本実施の形態の場合は４枚）一列に並んだ状態で接続されている。一枚の回路基板１２９に接続されている配線基板１０４の間隔は、回路基板１２９が基台１０２に取り付けられている間隔よりも狭いものとなっている。
【００３２】
枠部材１０３は、重ねて層状に配置される表示パネル１０１および基台１０２の周縁部を覆う部材である。本実施の形態の場合、枠部材１０３は、表示パネル１０１および基台１０２の長辺部分を覆う二つの部材と短辺部分を覆う二つの部材との四つの部材を額縁状に組み合わされて構成されている。枠部材１０３を構成する各部材は、前面部１３１と、周壁部１３２と、取付部１３３とを有する部材である。枠部材１０３は、例えば押し出し成型により形成されたものである。
【００３３】
前面部１３１は、表示パネル１０１の表示面側の周縁部に近接または当接した状態で配置され、表示パネル１０１の表示面側の周縁部を縁取り状に覆う板状（帯状）の部材である。本実施形態の場合、前面部１３１の背面側には、パッキン１０９が取り付けられている。パッキン１０９は、柔軟性、弾力性を備え、枠部材１０３を表示パネル１０１に配置した際の前面部１３１と表示パネル１０１との隙間を埋めている。
【００３４】
周壁部１３２は、表示パネル１０１の周縁端の外方に配置され、重ねられた表示パネル１０１と基台１０２との周縁を覆う板状（帯状）の部材である。なお、本実施の形態の場合、前面部１３１と周壁部１３２とは一体となっているが、別体であってもかまわない。
【００３５】
取付部１３３は、基台１０２と固定的に接続されることにより枠部材１０３を表示パネル１０１の周縁部に保持する部分である。取付部１３３は、図５、図６に示すように、表示装置１００の内方に向かって周壁部１３２の端部から突出状態で設けられており、枠部材１０３の延在方向（同図中Ｚ軸方向、Ｘ軸方向の場合もある）に沿って所定の間隔で複数箇所に設けられている。本実施形態の場合、取付部１３３は、基台１０２の背面側に配置され、厚さ方向（図中Ｙ軸方向）に貫通する孔が設けられている。そして、取付部１３３の孔に挿通される締結部材１３５が基台１０２と係合することにより締結部材１３５を介して基台１０２と枠部材１０３とが固定されるものとなっている。
【００３６】
また、取付部１３３と基台１０２との接続部分が回路基板１２９の間であるため、取付部１３３が設けられる間隔は、対応する位置に配置される回路基板１２９の長さに対応している。
【００３７】
突出部１２１は、配線基板１０４の間において、枠部材１０３の周壁部１３２の内側面に当接するように基台１０２の周縁端から外方に向かって突出する部材である。本実施の形態の場合、突出部１２１は、基台１０２と一体に形成されている。さらに突出部１２１は、板状の周壁部１３２の面と面状に当接する当接面部１２２を備えている。突出部１２１の当接面部１２２と周壁部１３２とが面状に当接することで、外方から突出部１２１に向かって周壁部１３２に力が加わった場合に突出部１２１と周壁部１３２との間に発生する圧力を低減し、周壁部１３２の局所的な変形を抑制することが可能となる。さらに、当接面部１２２の周縁はアールが設けられている。これにより、隣接する突出部１２１の間に配線基板１０４を配置する場合、突出部１２１のエッジが配線基板１０４に損傷を与えることを低減でき、また、外方から枠部材１０３に力が加わった場合でも、突出部１２１のエッジが周壁部１３２に損傷を与えることを抑制することができる。
【００３８】
また、基台１０２と枠部材１０３との電気的な接続箇所を多く設けることができるため、表示装置１００から外方に発生する電波の輻射を抑制することが可能となる。
【００３９】
［表示装置の製造方法］
次に、表示装置１００の製造方法を説明する。
【００４０】
表示パネル１０１と、表示パネル１０１の背面側に配置される板状の基台１０２とを、例えば両面テープなどにより貼り付ける。
【００４１】
次に、突出部１２１の間を通過して基台１０２および表示パネル１０１の周縁端を越えて基台１０２の背面側に至るように配線基板１０４を配置する。本実施の形態の場合、回路基板１２９と配線基板１０４とは予め接続されている。
【００４２】
次に、周壁部１３２の内側面に突出部１２１の先端に配置される当接面部１２２が当接するように枠部材１０３を配置し、枠部材１０３と基台１０２との位置決めをする。
【００４３】
以上の工程より、取付部１３３の孔と基台１０２に設けられた取り付け用の取付穴１２８の位置が一致する。
【００４４】
次に、取付部１３３の孔に締結部材１３５を挿通し、基台１０２に設けられた取り付け用の取付穴１２８と係合させることで取付部１３３を介して枠部材１０３を基台１０２に固定する。
【００４５】
枠部材１０３と基台１０２とを取り付ける際に、突出部１２１により基台１０２と枠部材１０３との位置が治具なしで決定することができ、取付部１３３の孔と取付穴１２８とが重なるため、締結部材１３５による締結作業が容易になる。
【００４６】
その他、バックカバー１０６を締結などにより基台１０２に固定することで表示装置１００が製造される。
【００４７】
次に、表示装置１００の変形例について説明する。
【００４８】
［変形例１］
図８は、実施の形態１の変形例１における突出部の近傍を模式的に示す斜視図である。
【００４９】
同図に示すように、突出部１２１は、基台１０２とは別体の部材であり、接続部材１５３により基台１０２の周縁端から外方に向かって突出するように取り付けられている。この場合、突出部１２１は、基台１０２とは異なる材質で形成することができる。例えば樹脂製の突出部１２１とした場合、外方から枠部材１０３に加えられた衝撃を緩和することができ枠部材１０３の局所的な変形を効果的に抑制することが可能となる。
【００５０】
［変形例２］
図９は、実施の形態１の変形例２における基台と枠部材との関係を示す断面図である。
【００５１】
同図に示すように、枠部材１０３の周壁部１３２と突出部１２１の先端との間には、周壁部１３２と突出部１２１との電気的な接続状態を向上させる導電性部材１０８を備えてもかまわない。
【００５２】
導電性部材１０８は、塑性変形や弾性変形により周壁部１３２、および、突出部１２１それぞれとの接触面積を増加させて電機導電性を向上させることができる部材であり、例えば、金属（銅など）製のガスケットなどを例示することができる。なお、導電性部材１０８の形状は特に限定されるものでは無いが、周壁部１３２の内側面に沿って取り付けられる板形状（帯形状）や、それぞれの突出部１２１の先端に取り付けられる当接面部１２２の形状に対応した形状等を例示することができる。
【００５３】
これにより、基台１０２と枠部材１０３との接続箇所における導電性を高めることができるため、表示装置１００から外方に発生する電波の輻射をより効果的に抑制することが可能となる。
【００５４】
［変形例３］
図１０は、実施の形態１の変形例３における基台と枠部材との関係を示す断面図である。
【００５５】
同図に示すように、表示装置１００は、表示パネル１０１と、基台１０２と、前面部１３１と、基台１０２の背面側に配置される取付部１３３と、前面部１３１と取付部１３３とを接続する周壁部１３２とを有する枠部材１０３と、基台１０２に接続される基部１７２と、枠部材１０３の取付部１３３よりも背面側に配置される保持部１７１とを有する取付部材１０７とを備え、取付部１３３と保持部１７１とを締結部材１３５により締結するものでもかまわない。
【００５６】
これによれば、突出部１２１と周壁部１３２の内側面とを当接させた状態で基台１０２と枠部材１０３との位置合わせを行うことができる。そして、位置合わせをした状態で取付部１３３と保持部１７１とを締結することにより、枠部材１０３の前面部１３１を表示パネル１０１の表示面側周縁部に押し付けることが可能となる。
【００５７】
これにより、表示パネル１０１の所定の位置に前面部１３１を配置した上で、表示パネル１０１と前面部１３１との隙間を可及的に少なくすることができ、塵埃などの侵入を防止することが可能となる。
【００５８】
（他の実施の形態）
以上のように、本出願において開示する技術の例示として、実施の形態１、および、その変形例を説明した。しかしながら、本開示における技術は、これらに限定されず、適宜、変更、置き換え、付加、省略などを行った実施の形態にも適用可能である。また、上記実施の形態１や変形例で説明した各構成要素を組み合わせて、新たな実施の形態とすることも可能である。
【００５９】
たとえば、実施の形態１において、表示装置１００は有機ＥＬ表示パネルを備えたテレビであるとした。しかし、表示装置１００は、液晶表示パネルを備えたものでも良く、テレビ以外であってもかまわない。例えば、表示装置１００は、外部から入力される映像を表示するモニタ装置、広告媒体として使用されるデジタルサイネージ、ならびに、タッチパネルによってユーザの操作を受け付ける携帯端末、タブレット端末、および、テーブル型表示装置等として実現されてもよい。
【００６０】
以上のように、本開示における技術の例示として、実施の形態を説明した。そのために、添付図面および詳細な説明を提供した。
【００６１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６２】
また、上述の実施の形態は、本開示における技術を例示するためのものであるから、特許請求の範囲またはその均等の範囲において種々の変更、置き換え、付加、省略などを行うことができる。
【００６３】
また、枠部材１０３は、棒状の部材を組み合わせるばかりでなく、少なくとも前面部１３１が矩形環状で一体の枠部材１０３であってもかまわない。この場合、前面部１３１と取付部１３３とを別部材とし、表示パネル１０１と基台１０２との周縁に前面部１３１と取付部１３３とを配置し、周壁部１３２により前面部１３１と取付部１３３とを接続することで、枠部材１０３を取り付けることが可能となる。これによれば、表示装置１００の表示面側に額縁状に看取される前面部１３１に継ぎ目をなくして意匠性を向上させることが可能となる。
【００６４】
また本開示は、導電性を備えない、または、乏しい枠部材１０３を否定するものではなく、このような枠部材１０３と突出部１２１とにより構造的な効果は十分にそうすることができる。
【産業上の利用可能性】
【００６５】
本開示は、画像や文字、動画を表示する表示装置であって、狭額縁化が要求される表示装置に適用可能である。具体的には、テレビ、モニタ表示、デジタルサイネージ、携帯端末、タブレット端末、および、テーブル型表示装置などの電子機器に、本開示は適用可能である。
【符号の説明】
【００６６】
１００  表示装置
１０１  表示パネル
１０２  基台
１０３  枠部材
１０４  配線基板
１０６  バックカバー
１０７  取付部材
１０８  導電性部材
１０９  パッキン
１２１  突出部
１２２  当接面部
１２８  取付穴
１２９  回路基板
１３１  前面部
１３２  周壁部
１３３  取付部
１３５  締結部材
１５３  接続部材
１７１  保持部
１７２  基部
【図１】
2015219406.tif 000003
【図２】
2015219406.tif 000004
【図３】
2015219406.tif 000005
【図４】
2015219406.tif 000006
【図５】
2015219406.tif 000007
【図６】
2015219406.tif 000008
【図７】
2015219406.tif 000009
【図８】
2015219406.tif 000010
【図９】
2015219406.tif 000011
【図１０】
2015219406.tif 000012